(57)【特許請求の範囲】
【請求項１】
デジタル角度信号(2)をＤ／Ａ変換器(1)に入力して得た１対のアナログ信号(1a,1a)を１対のアンプ(3)及び第１、第２トランス(4,5)を介して３個の第１、第２、第３出力端子(S1〜S3)から三相交流のシンクロ出力(6)を出力するようにしたデジタル／シンクロ変換方法において、前記第１、第２トランス(4,5)の各１次側(4a,5a)の各一端(4A,5A)に前記各アンプ(3)が接続され、前記各１次側(4a,5a)の各他端(4B,5B)が共通して接地され、前記第１トランス(4)の２次側(4b)の両端(4C,4D)に調整用の第１、第２抵抗(+RS1,+RS3)を介して前記第１、第３出力端子(S1,S3)が接続され、前記第２トランス(5)の２次側(5b)の一端(5c)には前記第２出力端子(S2)が直接接続され、前記第２トランス(5)の２次側(5b)の他端(5D)は前記第１トランス(4)の前記２次側(4b)の中点(a)に接続され、前記第１トランス(4)の２次側(4b)は前記中点(a)を介して第１、第２抵抗分(R1,R2)を有し、前記第２トランス(5)の２次側(5b)は第３抵抗分(R3)を有し、前記第１抵抗(+RS1)は＋ＲＳ１＝Ｒ３−Ｒ１であり、前記第２抵抗(+RS3)は＋ＲＳ３＝Ｒ３−Ｒ２であると共に、前記各出力端子(S1〜S3)側からみた各トランス(4,5)の２次側(4b,5b)の各抵抗分(R1,R2,R3)を同一とすることを特徴とするデジタル／シンクロ変換方法。
【発明の詳細な説明】
【０００１】
【発明の属する技術分野】
本発明は、デジタル／シンクロ変換方法に関し、特に、シンクロ出力を得る出力端子側からの各抵抗分を同一とし、シンクロ出力の各相間の出力電圧のズレを防止するための新規な改良に関する。
【０００２】
【従来の技術】
従来、用いられていたこの種のデジタル／シンクロ変換方法としては、一般に、図２で示す方法が採用されている。すなわち、図２において符号１で示されるものはデジタル角度入力２が入力されるＤ／Ａ変換器であり、このＤ／Ａ変換器１から出力されるアナログ信号１ａはアンプ３を介して第１、第２トランス４，５の１次側４ａ，５ａに入力されている。前記第２トランス５の２次側５ｂは、第２出力端子Ｓ２が接続されていると共に第１トランス４の２次側４ｂの中点ａに接続されている。この第１トランス４の２次側４ｂの両端には第１、第３出力端子Ｓ１，Ｓ３が接続されている。
【０００３】
従って、Ｄ／Ａ変換器１に入力されたデジタル角度入力２はＤ／Ａ変換されて各アンプ３を経て各トランス４，５の入力側４ａ，５ａに入力される。各トランス４，５の出力側４ｂ，５ｂの各出力端子Ｓ１〜Ｓ３には、三相交流信号からなるシンクロ出力６が出力される。
【０００４】
【発明が解決しようとする課題】
従来のデジタル／シンクロ変換方法は、以上のように構成されているため、次のような課題が存在していた。すなわち、各トランスの２次側においては、図２の抵抗分Ｒ１，Ｒ２，Ｒ３が存在するが、これらの各抵抗分Ｒ１〜Ｒ３は同一ではなく、負荷（図示せず）を接続するとシンクロ出力における出力電圧にズレが生じることになり、負荷側に供給するシンクロ出力６の精度が低下し、負荷側の動作精度が低下することになっていた。
【０００５】
本発明は、以上のような課題を解決するためになされたもので、特に、シンクロ出力を得る出力端子側からの各抵抗分を同一とし、シンクロ出力の出力電圧の各相間のズレを防止するようにしたデジタル／シンクロ変換方法を提供することを目的とする。
【０００６】
【課題を解決するための手段】
本発明によるデジタル／シンクロ変換方法は、デジタル角度信号をＤ／Ａ変換器に入力して得た１対のアナログ信号を１対のアンプ及び第１、第２トランスを介して３個の第１、第２、第３出力端子から三相交流のシンクロ出力を出力するようにしたデジタル／シンクロ変換方法において、前記第１、第２トランスの各１次側の各一端に前記各アンプが接続され、前記各１次側の各他端が共通して接地され、前記第１トランスの２次側の両端に調整用の第１、第２抵抗を介して前記第１、第３出力端子が接続され、前記第２トランスの２次側の一端には前記第２出力端子が直接接続され、前記第２トランスの２次側の他端は前記第１トランスの前記２次側の中点に接続され、前記第１トランスの２次側は前記中点を介して第１、第２抵抗分(R1,R2)を有し、前記第２トランスの２次側は第３抵抗分を有し、前記第１抵抗(+RS1)は＋ＲＳ１＝Ｒ３−Ｒ１であり、前記第２抵抗(+RS3)は＋ＲＳ３＝Ｒ３−Ｒ２であると共に、前記各出力端子側からみた各トランスの２次側の各抵抗分(R1,R2,R3)を同一とする方法である。
【０００７】
【発明の実施の形態】
以下、図面と共に本発明によるデジタル／シンクロ変換方法の好適な実施の形態について説明する。なお、従来例と同一又は同等部分については同一符号を用いて説明する。
図１において符号１で示されるものはデジタル角度入力２が入力されるＤ／Ａ変換器であり、このＤ／Ａ変換器１から出力される１対のアナログ信号１ａ，１ａは１対のアンプ３を介して第１、第２トランス４，５の１次側４ａ，５ａの各一端４Ａ，５Ａに入力されている。前記１次側４ａの他端４Ｂと前記第２トランス５の１次側５ａの他端５Ｂは共通して接地されている。
前記第１トランス４の２次側４ｂの一端４Ｃには第２抵抗＋ＲＳ３を介して第３出力端子Ｓ３が接続され、その他端４Ｄには第１抵抗＋ＲＳ１を介して第１出力端子Ｓ１が接続されている。
前記第２トランス５の２次側５ｂの一端５Ｃには直接第２端子Ｓ２が接続され、その他端５Ｂは前記２次側４ｂの中点ａに接続されている。
【０００８】
さらに、第１出力端子Ｓ１及び第３出力端子Ｓ３には、各出力端子Ｓ１〜Ｓ３側からみた各トランス４，５の２次側４ｂ，５ｂの第１、第２、第３抵抗分Ｒ１，Ｒ２，Ｒ３を同一とするために、調整用の前記抵抗＋ＲＳ１及び＋ＲＳ３が直列に設けられており、出力側からみて各抵抗分Ｒ１，Ｒ２，Ｒ３が同一となるように構成されている。この調整用の抵抗＋ＲＳ３は＋ＲＳ３＝Ｒ３−Ｒ２であると共に、抵抗＋ＲＳ１は＋ＲＳ１＝Ｒ３−Ｒ１として設定されている。なお、この抵抗は第１、第３出力端子Ｓ１，Ｓ３のみではなく、他の出力端子Ｓ２にも必要であれば設ける。尚、前記第１抵抗分Ｒ１と第２抵抗分Ｒ２は、前記２次側４ｂの中点ａを介して２分されて形成され、第３抵抗分Ｒ３は前記２次側５ｂで形成されている。
【０００９】
従って、前述の調整用の抵抗＋ＲＳ１及び＋ＲＳ３を直列接続することによって各出力端子Ｓ１〜Ｓ３側からの各抵抗分が同一に調整設定されているため、各出力端子Ｓ１〜Ｓ３に出力された３相交流信号からなるシンクロ出力６の各相の出力電圧レベルは従来のようなズレを伴うことなく、ほぼ同一レベルの３相交流のシンクロ出力６を得ることができる。
【００１０】
【発明の効果】
本発明によるデジタル／シンクロ変換方法は、以上のように構成されているため、次のような効果を得ることができる。
すなわち、各出力端子に調整用の抵抗を直列に設けているため、出力端子側からみたトランスの２次側の抵抗分が同一となり、各出力端子を経て出力される３相のシンクロ出力の各相の出力電圧レベルが同レベルとなり、負荷側の制御を高精度とすることができる。
【図面の簡単な説明】
【図１】  本発明によるデジタル／シンクロ変換方法を示す構成図である。
【図２】  従来のデジタル／シンクロ変換方法を示す構成図である。
【符号の説明】
１    Ｄ／Ａ変換器
２    デジタル角度信号
１ａ    アナログ信号
３ アンプ
４，５    第１、第２トランス
４Ａ，５Ａ，４Ｃ，５Ｃ 一端
４ａ，５ａ １次側
４Ｂ，５Ｂ，４Ｄ，５Ｄ 他端
６    シンクロ出力
Ｓ１〜Ｓ３    出力端子
４ｂ，５ｂ    ２次側
Ｒ１ 第１抵抗分
Ｒ２ 第２抵抗分
Ｒ３ 第３抵抗分
＋ＲＳ１ 第１抵抗
＋ＲＳ３ 第２抵抗
＋ＲＳ１，＋ＲＳ３    調整用の抵抗
【図１】
0003703115.tif 000002
【図２】
0003703115.tif 000003